(57)【要約】【課題】  ユーザが選択している紙種の印刷用紙とは異なる紙種の印刷用紙への無用な印刷が行われないようにし、裏紙を印刷用紙として用いる際の利便性を向上することができる画像形成装置を提供する。【解決手段】  ユーザにより選択された印刷用紙カセットから画像印刷部に印刷用紙が搬送されるときに、その印刷用紙の裏面が用紙裏面読取部により読み取られる。読み取られた裏面の画像データから、その印刷用紙が更紙であるか又は裏紙であるかが判定され、この判定結果と、この印刷用紙を供給した印刷用紙カセットに対して設定されている紙種とが一致するか否かが判定される。そして、印刷用紙の種類と、印刷用紙カセットの紙種とが異なるときには、制御部により印刷用紙の搬送が中止され、また、表示部において紙種が異なる旨の表示がなされる。【選択図】      図４
2006198847.tif 000002
【特許請求の範囲】
【請求項１】
複数の印刷用紙収容部毎に印刷用紙の種類が裏紙であるか又は更紙であるかを設定できるように構成され、指定された印刷用紙収容部から画像印刷部に搬送された印刷用紙に対して画像が印刷される画像形成装置において、
前記印刷用紙収容部から前記画像印刷部に搬送されようとする印刷用紙の種類が、設定されている印刷用紙の種類と異なっているときには、その印刷用紙の搬送を中止する用紙制御手段を備えたことを特徴とする画像形成装置。
【請求項２】
前記印刷用紙の搬送が中止されたときに、その印刷用紙の種類が、設定されている印刷用紙の種類とは異なる旨のメッセージをユーザに対して表示する表示手段を備えたことを特徴とする請求項１に記載の画像形成装置。
【請求項３】
前記印刷用紙の搬送が中止されたときに、ユーザの操作に基づいてその印刷用紙の搬送を再開させるとともに、前記画像印刷部によるその印刷用紙に対する画像の印刷を禁止する印刷制御手段を備えたことを特徴とする請求項１又は請求項２に記載の画像形成装置。
【請求項４】
前記印刷用紙収容部のうち、印刷用紙の種類が裏紙であると設定された印刷用紙収容部から前記画像印刷部に供給される印刷用紙の数と、印刷用紙の種類が更紙であると設定された印刷用紙収容部から画像印刷部に供給される印刷用紙の数とを別々に計測する計数手段を備えたことを特徴とする請求項１〜請求項３のいずれか一項に記載の画像形成装置。
【請求項５】
印刷用紙の種類が裏紙であると設定された印刷用紙収容部から前記画像印刷部に供給された印刷用紙の数と、印刷用紙の種類が更紙であると設定された印刷用紙収容部から画像印刷部に供給された印刷用紙の数とを対比させて表示部に表示する数値表示手段を備えたことを特徴とする請求項４に記載の画像形成装置。
【発明の詳細な説明】
【技術分野】
【０００１】
本発明は、複数の印刷用紙収容部毎に印刷用紙の種類が裏紙であるか又は更紙であるかを設定できるように構成され、指定された印刷用紙収容部から画像印刷部に搬送された印刷用紙に対して画像が印刷される画像形成装置に関するものである。なお、「更紙」とは、両面共に印刷がされていない印刷用紙を意味し、「裏紙」とは、片面のみに印刷されている印刷用紙を意味する。
【背景技術】
【０００２】
近年、資源の有効利用に対する要求が高まるにつれ、画像形成装置によるコピーやファックスにおいて消費される多量の紙については、可能な限りその両面に画像を印刷することが要求されている。このため、画像形成装置において表面のみに画像が印刷された印刷用紙（裏紙）をユーザが回収し、この印刷用紙を改めて印刷用紙として用いることが行われている。ところで、例えばＡ４サイズの裏紙を印刷用紙としてコピーで用いるには、Ａ４サイズの裏紙とＡ４サイズの更紙を別々の印刷用紙カセットに収容し、コピー作業のたびに同じサイズの裏紙及び更紙のうちからいずれかを選択する必要がある。このため、このような面倒な作業を軽減するための技術が提案されている。
【０００３】
例えば、特許文献１に記載された技術では、更紙用の印刷用紙カセットと裏紙用の印刷用紙カセットとがユーザにより予め記憶部に設定され、コピー作業時に裏紙を印刷用紙として用いるか否かをユーザが選択することができるようになっている。そして、ユーザにより裏紙の使用モードが選択されたときには、裏紙用の印刷用紙カセットから印刷用紙が画像印刷部に供給される。また、裏紙の使用モードが選択されないときには、更紙用の印刷用紙カセットから印刷用紙カセットが画像印刷部に供給される。
【０００４】
また、特許文献２に記載された技術では、複数の印刷用紙カセット毎に、収容されている印刷用紙の種類（裏紙又は更紙）が設定され、この設定内容が表示部に表示される。このため、ユーザは、表示部に表示される設定内容に基づき、印刷用紙の種類を選択することができる。
【特許文献１】特開２００２−２３７９２０号公報
【特許文献２】特開２００３−１０１７２０号公報
【発明の開示】
【発明が解決しようとする課題】
【０００５】
ところで、画像形成装置の印刷用紙カセットに入れられる裏紙は、複数のユーザから集められたものであることが多い。このため、印刷用紙カセットに収容された裏紙のなかに、更紙が紛れ込んでいることがある。また、本来更紙が収容される印刷用紙カセットのなかに、間違って裏紙が入れられることがある。このような場合、本来裏紙が収容されているはずの印刷用紙カセットをユーザが選択しても、印刷用紙として裏紙が供給されたり、反対に、更紙が収容されているはずの印刷用紙カセットをユーザが選択しても、印刷用紙として裏紙が供給されたりする。この場合、ユーザは、画像形成装置から排出された印刷済み用紙を見て紙種が異なることに気づいた後、自らが選択した印刷用紙カセットに入れられている印刷用紙の種類を確かめ、必要に応じて印刷用紙を入れ替えた上で、改めてコピー作業を行わなければならない。
【０００６】
上記特許文献１，２に記載された技術は、いずれも、ユーザにより選択された印刷用紙カセットから印刷用紙を供給するだけである。このため、前記のような問題が起こることが避けられない。
【０００７】
本発明の目的は、ユーザが選択している紙種の印刷用紙とは異なる紙種の印刷用紙への無用な印刷が行われないようにし、裏紙を印刷用紙として用いる際の利便性を向上することができる画像形成装置を提供することにある。
【課題を解決するための手段】
【０００８】
上記目的を達成するため、請求項１に記載の発明は、複数の印刷用紙収容部毎に印刷用紙の種類が裏紙であるか又は更紙であるかを設定できるように構成され、指定された印刷用紙収容部から画像印刷部に搬送された印刷用紙に対して画像が印刷される画像形成装置において、前記印刷用紙収容部から前記画像印刷部に搬送されようとする印刷用紙の種類が、設定されている印刷用紙の種類と異なっているときには、その印刷用紙の搬送を中止する用紙制御手段を備えたことを特徴とする。
【０００９】
請求項２に記載の発明は、請求項１に記載の発明において、前記印刷用紙の搬送が中止されたときに、その印刷用紙の種類が、設定されている印刷用紙の種類とは異なる旨のメッセージをユーザに対して表示する表示手段を備えたことを特徴とする。
【００１０】
請求項３に記載の発明は、請求項１又は請求項２に記載の発明において、前記印刷用紙の搬送が中止されたときに、ユーザの操作に基づいてその印刷用紙の搬送を再開させるとともに、前記画像印刷部によるその印刷用紙に対する画像の印刷を禁止する印刷制御手段を備えたことを特徴とする。
【００１１】
請求項４に記載の発明は、請求項１〜請求項３のいずれか一項に記載の発明において、  前記印刷用紙収容部のうち、印刷用紙の種類が裏紙であると設定された印刷用紙収容部から前記画像印刷部に供給される印刷用紙の数と、印刷用紙の種類が更紙であると設定された印刷用紙収容部から画像印刷部に供給される印刷用紙の数とを別々に計測する計数手段を備えたことを特徴とする。
【００１２】
請求項５に記載の発明は、請求項４に記載の発明において、印刷用紙の種類が裏紙であると設定された印刷用紙収容部から前記画像印刷部に供給された印刷用紙の数と、印刷用紙の種類が更紙であると設定された印刷用紙収容部から画像印刷部に供給された印刷用紙の数とを対比させて表示部に表示する数値表示手段を備えたことを特徴とする。
【発明の効果】
【００１３】
本発明によれば、予め印刷用紙カセット毎に設定された紙種と異なる紙種の印刷用紙が画像印刷部に搬送されようとするときに、その印刷用紙の搬送が中止され、ユーザが選択した紙種とは異なる紙種の印刷用紙に画像の印刷が行われることが防止される。このため、ユーザが選択している紙種の印刷用紙とは異なる紙種の印刷用紙への無用な印刷が行われないので、裏紙を印刷用紙として用いる際の利便性を向上することができる。
【発明を実施するための最良の形態】
【００１４】
以下、この発明に係る画像読取装置を、コピー機能、スキャナ機能及びファクシミリ機能を備えた複合機に具体化した一実施形態を、図１〜図６に従って説明する。
図１に示すように、画像形成装置としての複合機１０は、制御部１１、ＲＡＭ（Random Access Memory）１２、モータ等からなる画像読取部１３、画像メモリ１４、画像印刷部１５、表示部１６、操作部１７、モータ等からなる原稿搬送部１８、同じくモータ等からなる印刷用紙搬送部１９、コーデック（ＣＯＤＥＣ；Coder-Decoder ）２０、モデム２１及びＮＣＵ（Network Control Unit）２２を備えている。また、複合機１０は、画像印刷部１５に搬送される前の印刷用紙の裏面（画像印刷部１５による印刷面の裏面）を読み取る用紙裏面読取部２３を備えている。各部１１〜２３は、バス２４を介して制御部１１に接続され、制御部１１により制御される。また、複合機１０は、図２に示すように、それぞれ印刷用紙が収容される印刷用紙カセット（印刷用紙収容部）３０ａ〜３０ｄ及び手差しトレイ３１と、印刷後の印刷用紙が排出される用紙排出部３２を備えている。本実施形態では、制御部１１が用紙制御手段及び計数手段である。又、制御部１１及び表示部１６が表示手段及び数値表示手段を構成し、制御部１１及び操作部１７が印刷制御手段を構成する。
【００１５】
図１に示すように、制御部１１は、複合機１０の各部を制御するＭＰＵ（Micro Processing Unit）１１ａ、及び、同ＭＰＵ１１ａが実行するプログラムや各種情報を記憶するメモリ１１ｂ等から構成されている。メモリ１１ｂは、ＲＯＭ（Read Only Memory）及びフラッシュメモリから構成されている。ＲＡＭ１２には、複合機１０に関する各種情報が一時的に記憶される。画像読取部１３は、スキャナや原稿自動供給装置等から構成され、画像が読み取られる原稿の表面の画像を読み取ってそのイメージ信号を出力する。画像メモリ１４は、画像読取部１３において読み取られた原稿の画像データや、ファックス受信した画像データをイメージデータとして一時的に記憶する。画像印刷部１５は、電子写真方式のプリンタよりなり、画像メモリ１４に記憶されたイメージデータに対応する画像を印刷用紙の表面に印刷する。
【００１６】
表示部１６はタッチパネルディスプレィであり、複合機１０の動作状態を示す各種情報の表示を行う。操作部１７は、前記タッチパネルディスプレィに加え、コピーモード及びファックスモードを切り替えるモードキー（図示せず）、原稿の読み取り動作を開始させるためのスタートボタン（図示せず）を備えている。また、タッチパネルディスプレィからは、コピー時に印刷用紙を供給する印刷用紙カセット及び手差しトレイの選択を行うことができるようになっている。
【００１７】
原稿搬送部１８は、複合機１０本体の原稿給紙トレイ（図示せず）に載置された原稿を画像読取部１３まで搬送し、画像読取部１３による画像の読み取りが終了した原稿を原稿排出部（図示せず）まで搬送する。印刷用紙搬送部１９は、各印刷用紙カセット３０ａ〜３０ｄ又は手差しトレイ３１から印刷用紙を画像印刷部１５まで搬送し、画像印刷部１５による印刷が終了した印刷用紙を用紙排出部３２に排出する。コーデック２０は、ファックス送受信等のためにイメージデータの圧縮符号化及び復号を行う。モデム２１は、ファックス伝送制御手順に基づいて送信データの変調及び受信データの復調を行う。ＮＣＵ２２は、公衆電話回線との接続を制御するとともに、相手先の電話番号に対応したダイヤル信号を送出する機能及び着信を検出するための機能を備えている。
【００１８】
用紙裏面読取部２３は密着型イメージセンサからなり、図２に示すように、各印刷用紙カセット３０ａ〜３０ｄ又は手差しトレイ３１から画像印刷部１５を経て用紙排出部３２に至るまでの用紙搬送路２８上に設けられている。詳述すると、用紙裏面読取部２３は、用紙搬送路２８上において、画像印刷部１５よりも上流側に、かつ、各印刷用紙カセット３０ａ〜３０ｄ又は手差しトレイ３１からの搬送経路の合流点２８ａよりも下流側に設けられている。そして、用紙裏面読取部２３は、各印刷用紙カセット３０ａ〜３０ｄ又は手差しトレイ３１から用紙搬送路２８を介して画像印刷部１５に搬送される途中の印刷用紙の裏面を、印刷用紙が画像印刷部１５に達する前に読み取る。
【００１９】
次に、前記のように構成された複合機１０の動作について説明する。
まず、例えばユーザによりコピーモードが選択されたときに、コピー動作が行われる前にユーザにより行われる設定について説明する。印刷用紙として、例えばＡ４サイズの裏紙を用いるようにするには、例えば印刷用紙カセット３０ａにＡ４サイズの裏紙を収容し、印刷用紙カセット３０ｂにＡ４サイズの更紙を収容する。
【００２０】
ユーザによりコピーモードが選択されると、図３に示すようなコピー初期メニューが表示部１６（タッチパネルディスプレィ）に表示される。このコピー初期メニューにおいては、自動用紙選択キー４０、カセット１キー４１ａ、カセット２キー４１ｂ、カセット３キー４１ｃ、カセット４キー４１ｄ及び手差しトレイキー４２が表示される。コピーモードにおいて、制御部１１は、自動用紙選択モード及び手動用紙選択モードを備えている。
【００２１】
自動用紙選択モードはデフォルト（初期設定）となっており、手動用紙選択モードは各カセットキー４０ａ〜４０ｄ及び手差しトレイキー４１のうちのいずれかが操作されたときに自動用紙選択モードに代わって設定される。また、手動用紙選択モードのときに自動用紙選択キー４０が操作されると、手動用紙選択モードから自動用紙選択モードに復帰する。自動用紙選択モードでは、図示しない原稿サイズ検出部により検出された原稿サイズと、ユーザにより設定されたコピー倍率とに基づいて、印刷用紙のサイズが自動的に決定される。そして、決定されたサイズの印刷用紙が収容されているいずれかの印刷用紙カセット３０ａ〜３０ｄから印刷用紙が画像印刷部１５に供給される。また、手動用紙選択モードでは、原稿サイズ及びコピー倍率に関係なく、ユーザにより選択されたいずれかの印刷用紙カセット３０ａ〜３０ｄから印刷用紙が画像印刷部１５に供給される。なお、図３は、カセット１キー４１ａが操作された状態を示す。
【００２２】
また、コピー初期メニューにおいては、各印刷用紙カセット３０ａ〜３０ｄに収容されている印刷用紙のサイズがカセットキー４０ａ〜４０ｄ毎に表示される。各印刷用紙カセット３０ａ〜３０ｄの印刷用紙のサイズは、印刷用紙カセット３０ａ〜３０ｄ毎に設けられた図示しない印刷用紙サイズ検出部により検出される。さらに、コピー初期メニューにおいては、各印刷用紙カセット３０ａ〜３０ｄに収容されている印刷用紙の種類がカセットキー４０ａ〜４０ｄ毎に表示される。印刷用紙の種類とは、更紙及び裏紙のいずれであるかである。各印刷用紙カセット３０ａ〜３０ｄに収容される印刷用紙の種類は、図４に示す用紙設定メニューにおいて、印刷用紙カセット３０ａ〜３０ｄ毎にユーザにより予め設定される。用紙設定メニューは、操作部１７に対するユーザの操作に基づいて表示部１６に表示される。用紙設定メニューにおいては、各印刷用紙カセット３０ａ〜３０ｄに対応して更紙キー４３ａ〜４３ｄ及び裏紙キー４４ａ〜４４ｄがそれぞれ表示される。印刷用紙カセット３０ａ〜３０ｄのいずれかに対応する更紙キー４３ａ〜４３ｄ又は裏紙キー４４ａ〜４４ｄを操作すると、操作されたキーに対応する印刷用紙カセット３０ａ〜３０ｄに収容される印刷用紙の種類として、そのキーが示す紙種が制御部１１により設定される。なお、図４は、印刷用紙カセット３０ａに対して裏紙キー４４ａが選択操作され、また、印刷用紙カセット３０ｂ〜３０ｄに対して更紙キー４３ｂ〜４３ｄがそれぞれ選択操作された状態を示す。
【００２３】
前記設定後、スタートキーが操作されると、制御部１１により原稿搬送部１８が制御され、原稿給紙トレイから原稿が画像読取部１３に搬送される。そして、画像読取部１３においてその表面の画像が読み取られる。画像読取部１３において画像が読み取られた原稿は、原稿搬送部１８により搬送されて原稿排紙部に排出される。原稿から読み取られた画像の画像データは、画像メモリ１４に記憶される。一方、制御部１１により印刷用紙搬送部１９が制御され、上記コピー初期メニューにおいて選択された印刷用紙カセット３０ａ〜３０ｄ又は手差しトレイ３１から印刷用紙が画像印刷部１５に搬送される。そして、画像メモリ１４に記憶されている画像データに対応する画像が、画像印刷部１５において印刷用紙の表面（印刷面）に印刷される。画像印刷部１５において画像が印刷された印刷用紙は、原稿搬送部１８により搬送されて用紙排出部３２に排出される。
【００２４】
次に、ユーザにより選択された印刷用紙カセット３０ａ〜３０ｄから用紙搬送路２８を介して画像印刷部１５に印刷用紙を搬送するときの制御部１１の処理動作について説明する。なお、この処理動作は、制御部１１のメモリ１１ｂに記憶されているプログラムに基づき、ＭＰＵ１１ａの制御により実行される。
【００２５】
図５に示すように、この処理においては、まず、ステップ（以下、Ｓと略記する。）１００において、スタートキーの操作に基づいて印刷用紙搬送部１９が制御され、選択された印刷用紙カセット３０ａ〜３０ｄから印刷用紙が用紙搬送路２８に送り出される。次に、Ｓ１０１において、用紙裏面読取部２３が制御され、搬送中の印刷用紙の裏面が読み取られる。
【００２６】
次に、Ｓ１０２において、選択されている印刷用紙カセット３０ａ（又は、３０ｂ〜３０ｄ）が、裏紙用として設定されているか否かが判定される。そして、Ｓ１０２においてＹＥＳであったときには、次に、Ｓ１０３において、その印刷用紙の裏面から読み取られた画像データから、その印刷用紙の裏面に印刷がなされているか否かが判断される。Ｓ１０３においてＹＥＳであったときには、この印刷用紙が裏紙であると判断され、次に、Ｓ１０４において、画像印刷部１５が制御されてその印刷用紙の表面に画像が印刷された後、この処理が終了される。
【００２７】
一方、前記Ｓ１０３においてＮＯであったときには、搬送中の印刷用紙が更紙であると判断され、次に、Ｓ１０５においてその印刷用紙の搬送が中止される。そして、次に、Ｓ１０６において表示部１６が制御され、図６に示すようなメッセージがユーザに対して表示される。同時に、表示部１６には、搬送が中止された印刷用紙に対する処理をユーザが選択するための３つのキーが表示される。一つ目のキーは、搬送が中止された印刷用紙に対する印刷を強制的に行わせるための「続行」キー４４であり、二つ目のキーは、更紙用又は裏紙用として設定されている印刷用紙カセット３０ａ（又は、３０ｂ〜３０ｄ）に対する紙種の設定を切り替えるための「設定変更」キー４５である。また、３つ目のキーは、印刷用紙を印刷しない状態で用紙排出部３２に排出するための「中止」キー４６である。
【００２８】
Ｓ１０７において「続行」キー４４が操作されたときには、次に、前記Ｓ１０４が実行される。この場合、選択されている印刷用紙カセット３０ａ（又は、３０ｂ〜３０ｄ）から引き続き裏紙が新たな印刷用紙として画像印刷部１５に供給され、Ｓ１００からの処理が繰り返し実行される。
【００２９】
また、Ｓ１０７において「設定変更」キー４５が操作されたときにも、次にＳ１０４が実行される。この場合、選択されている印刷用紙カセット３０ａ（又は、３０ｂ〜３０ｄ）に対する設定が裏紙用から更紙用に切り替えられた後、その印刷用紙カセット３０ａ（又は、３０ｂ〜３０ｄ）から引き続き印刷用紙が画像印刷部１５に供給され、Ｓ１００からの処理が繰り返し実行される。すなわち、「設定変更」キー４５が操作されたときには、選択されている印刷用紙カセット３０ａ（又は、３０ｂ〜３０ｄ）に対して設定されている紙種と、実際にその印刷用紙カセット３０ａ（又は、３０ｂ〜３０ｄ）に収容されている印刷用紙の種類とが一致していないと判断される。そして、実際の印刷用紙の種類に一致させるように、印刷用紙カセット３０ａ（又は、３０ｂ〜３０ｄ）に対して設定されている紙種が切り替えられる。
【００３０】
一方、Ｓ１０７において「中止」キー４６が操作されたときには、次に、Ｓ１０８が実行される。Ｓ１０８においては、印刷用紙搬送部１９が制御され、搬送が中止されていた印刷用紙の搬送が再開されるとともに、この印刷用紙に対する画像の印刷がされないままでその印刷用紙が用紙排出部３２に排出される。この場合、用紙排出部３２に排出された印刷用紙に印刷されることになっていた画像のデータが画像メモリ１４に残され、新たに印刷用紙カセット３０ａ（３０ｂ〜３０ｄ）から供給される印刷用紙に対して、そのデータに基づく画像が印刷される。
【００３１】
また、前記Ｓ１０２においてＮＯであったときには、次に、Ｓ１０９において、その印刷用紙の裏面から読み取られた画像データから、その印刷用紙の裏面に印刷がなされていないか否かが判断される。Ｓ１０９においてＹＥＳであったときには、この印刷用紙が更紙であると判断され、次に、Ｓ１０４において、画像印刷部１５が制御されてその印刷用紙の表面に画像が印刷された後、この処理が終了される。
【００３２】
一方、前記Ｓ１０９においてＮＯであったときには、搬送中の印刷用紙が裏紙であると判断され、次に、Ｓ１０５においてその印刷用紙の搬送が中止される。そして、次に、Ｓ１０６において表示部１６が制御され、図６に示す表示が行われる。
【００３３】
そして、Ｓ１０７において「続行」キー４４が操作されたときには、次に、前記Ｓ１０４が実行される。この場合、選択されている印刷用紙カセット３０ａ（又は、３０ｂ〜３０ｄ）から引き続き更紙が新たな印刷用紙として画像印刷部１５に供給され、Ｓ１００からの処理が繰り返し実行される。
【００３４】
また、Ｓ１０７において「設定変更」キー４５が操作されたときにも、次にＳ１０４が実行される。この場合、選択されている印刷用紙カセット３０ａ（又は、３０ｂ〜３０ｄ）に対する設定が更紙用から裏紙用に切り替えられた後、その印刷用紙カセット３０ａ（又は、３０ｂ〜３０ｄ）から引き続き裏紙が印刷用紙として画像印刷部１５に供給され、Ｓ１００からの処理が繰り返し実行される。
【００３５】
一方、Ｓ１０７において「中止」キー４６が操作されたときには、次に、Ｓ１０８が実行される。Ｓ１０８においては、印刷用紙搬送部１９が制御され、搬送が中止されていた印刷用紙の搬送が再開されるとともに、この印刷用紙に対する画像の印刷がされないままでその印刷用紙が用紙排出部３２に排出される。この場合、用紙排出部３２に排出された印刷用紙に印刷されることになっていた画像のデータが画像メモリ１４に残され、新たに印刷用紙カセット３０ａ（３０ｂ〜３０ｄ）から供給される印刷用紙に対して、そのデータに基づく画像が印刷される。
【００３６】
以上のように、この実施形態によれば、予め印刷用紙カセット３０ａ〜３０ｄ毎に設定された紙種と異なる紙種の印刷用紙が供給されたときに、その印刷用紙の画像印刷部１５への搬送が中止され、ユーザに選択された紙種でない紙種の印刷用紙に対する画像の印刷が防止される。このため、ユーザが選択している紙種の印刷用紙とは異なる紙種の印刷用紙への無用な印刷が行われないので、裏紙を印刷用紙として用いる際の利便性が向上する。
【００３７】
また、印刷用紙の搬送が中止されたときに、画像印刷部１５に供給されようとしている印刷用紙の種類が、指定された印刷用紙カセット３０ａ（３０ｂ〜３０ｄ）に対応する紙種とは異なる旨のメッセージが表示部１６に表示される。このため、ユーザは、指定された印刷用紙カセット３０ａ（３０ｂ〜３０ｄ）に収容されている印刷用紙に、設定とは異なる紙種の印刷用紙が紛れ込んでいることを明確に認識することができる。
【００３８】
さらに、印刷用紙の搬送が中止されたときに、ユーザのキー操作に基づいて、その印刷用紙の搬送が再開され、画像印刷部１５による印刷が行われないままで用紙排出部３２に排出される。このため、ユーザは、搬送が中止された印刷用紙を、用紙搬送路２８から取り除く作業を行う必要がない。
【００３９】
また、制御部１１は、前記用紙選択メニューにおいて、各印刷用紙カセット３０ａ〜３０ｄに対して設定された印刷用紙の種類（裏紙又は更紙）に基づき、裏紙用として設定された各印刷用紙カセットから画像印刷部１５に供給される印刷用紙の数を計測する。また、制御部１１は、更紙用として設定された各印刷用紙カセットから画像印刷部１５に供給される印刷用紙の数を、裏紙用として設定された各印刷用紙カセットから画像印刷部１５に供給される印刷用紙の数とは別に計測する。さらに、制御部１１は、タッチパネルディスプレィでのキー操作により、裏紙用の印刷用紙カセットから画像印刷部１５に供給された印刷用紙の総数と、更紙用の印刷用紙カセットから画像印刷部１５に供給された印刷用紙の総数とを、図７に示すように対比させた状態で表示部１６に表示させる。このため、裏紙の利用状況をユーザが把握することができる。
【００４０】
なお、本実施形態は、各印刷用紙カセット３０ａ（３０ｂ〜３０ｄ）と合流点２８ａとの間において各印刷用紙カセット３０ａ（３０ａ〜３０ｄ）に対応するように設けられた用紙裏面読取部により、各印刷用紙カセット３０ａ（３０ｂ〜３０ｄ）から印刷用紙が用紙搬送路２８に送り出されるときの印刷用紙の裏面を読み取る構成とすることも可能である。
【図面の簡単な説明】
【００４１】
【図１】一実施形態の複合機の構成を示すブロック図。
【図２】複合機の機械的な構成を示す模式図。
【図３】コピー初期メニューが表示された表示部を示す正面図。
【図４】用紙設定メニューが表示された表示部を示す正面図。
【図５】制御部の処理動作を示すフローチャート。
【図６】メッセージ及び各種キーが表示された表示部を示す正面図。
【図７】裏紙及び更紙の総数が表示された表示部を示す正面図。
【符号の説明】
【００４２】
１０…画像形成装置としての複合機、１１…表示手段、印刷制御手段及び数値表示手段を構成する用紙制御手段及び計数手段としての制御部、１５…画像印刷部、１６…表示手段及び数値表示手段を構成する表示部、１７…印刷制御手段を構成する操作部、３０ａ〜３０ｄ…印刷用収容部としての印刷用紙カセット。
【図１】
2006198847.tif 000003
【図２】
2006198847.tif 000004
【図３】
2006198847.tif 000005
【図４】
2006198847.tif 000006
【図５】
2006198847.tif 000007
【図６】
2006198847.tif 000008
【図７】
2006198847.tif 000009